(57)【要約】【課題】人体に悪影響を及ぼすことがなく、耐食性にも優れ、また低融点であって加工性にも優れる釣用おもりを提供する。【解決手段】釣用おもりのおもり本体１（または２）が亜鉛を含む金属または亜鉛合金を用いて形成されてなるものである。また、釣用おもりに道糸を接続するための係止環３として線材の両端に抜け止め用折曲部４ａ、４ｂを形成し、該抜け止め用折曲部４ａ、４ｂをおもり本体１（または２）に埋め込んで固着した構成としてもよい。【選択図】図１
0003139655.tif 000002
【実用新案登録請求の範囲】
【請求項１】
釣用おもりのおもり本体が亜鉛を含む金属または亜鉛合金を用いて形成されてなることを特徴とする釣用おもり。
【請求項２】
釣用おもりに道糸を接続するための係止環として線材の両端に抜け止め用折曲部を形成し、該抜け止め用折曲部をおもり本体に埋め込んで固着したことを特徴とする請求項１記載の釣用おもり。
【請求項３】
前記線材は真鍮製線材であることを特徴とする請求項２記載の釣用おもり。
【考案の詳細な説明】
【技術分野】
【０００１】
本考案は、従来の釣用おもりを環境に優しく、また錆び難いものに改良した釣用おもりに関する。
【背景技術】
【０００２】
従来の釣用おもりは、通常、鉛または鉄から形成され、特に鉛は比重が重く、加工のし易さ、或いはコスト面から、釣用おもりの材料として広く知られている。
【０００３】
そこで、従来の釣用おもりとして鉛を使用した例をあげると、特許文献１に記載されている「釣用おもり」は、水の表層を群泳する小魚を釣る際に好適するように、鉛を用いて、おもりの上端部から下端部に到るに従って少しずつ厚くなるように形成し、水中におけるおもりの動きに変化が生じるようにしたものである。
【０００４】
また、特許文献２に記載されている「魚釣用おもりの波形かみつぶしおもり」は、鉛、または鉛と錫の合金等を用いて、かみつぶしおもりの割込み口を角のない丸みのある波形にすることにより、ハリスが割込み口に入りやすくしたものである。また、比較的軟らかい鉛を用いることによって容易に噛み潰すことができるようにしたものである。
【０００５】
上記のように、従来の釣用おもりは、鉛が比較的軟らかい金属であり、加工がしやすいことから、多用されてきたのであるが、鉛の成分が人体に少なからず悪影響を及ぼすという問題があり、このような環境問題の面から、鉛の使用が問題視されるようになっている。
【０００６】
また、釣用おもりの材料として鉄を使用した場合、錆び易いため、耐食性に問題があり、また融点が高いため、加工性にも問題があった。
【特許文献１】実開昭６３−７１６６６号公報
【特許文献２】実用登録第３０５０６０３号公報
【考案の開示】
【考案が解決しようとする課題】
【０００７】
本考案は、上記の事情に鑑みてなされたもので、人体に悪影響を及ぼすことがなく、耐食性にも優れ、また低融点であって加工性にも優れる釣用おもりを提供することを目的とする。
【課題を解決するための手段】
【０００８】
上記の問題を解決するために、本考案における請求項１は、釣用おもりのおもり本体が亜鉛を含む金属または亜鉛合金を用いて形成されてなることを特徴とする。
【０００９】
また、本考案における請求項２は、請求項１において、釣用おもりに道糸を接続するための係止環として線材の両端に抜け止め用折曲部を形成し、該抜け止め用折曲部をおもり本体に埋め込んで固着したことを特徴とする。
【００１０】
さらに、本考案における請求項３は、請求項２において、前記線材は真鍮製線材であることを特徴とする。
【考案の効果】
【００１１】
本考案の釣用おもりによれば、おもり本体に亜鉛を含む金属または亜鉛合金を使用しているため、人体に悪影響を及ぼすことがなく、環境にも好適する釣用おもりとして使用することが可能となる。
【００１２】
また、本考案のおもり本体に使用した亜鉛を含む金属または亜鉛合金は、錆び難いため、耐食性の点でも良好な釣用おもりとして使用することが可能となる。さらには、低融点である亜鉛の金属特性により加工が容易であり、様々な形状の釣用おもりを形成することが可能となる。
【００１３】
また、本考案の釣用おもりの係止環を構成する線材の両端に形成した抜け止め用折曲部をおもり本体に埋め込んだ場合、係止環を引抜く力に対して抵抗力を発揮することができ、安全性の高い係止環を備えた釣用おもりとして使用することが可能となる。
【００１４】
さらに、本考案に係る係止環として、銅と亜鉛の合金である真鍮製線材を用いた場合、この真鍮製線材をおもり本体に埋め込むと、係止環の亜鉛成分とおもり本体の亜鉛成分とが接触することとなり、異種金属の接触による錆びが発生し難く、係止環の耐用年数が増すという利点がある。
【考案を実施するための最良の形態】
【００１５】
以下、本考案の実施例について図面を参照しながら説明する。
【実施例１】
【００１６】
本考案による釣用おもりは、おもり本体の構成材料として、亜鉛を含む金属または亜鉛合金を用いて形成してなるものである。その製造方法としては、亜鉛を含む金属または亜鉛合金の例として、亜鉛−錫合金、亜鉛−ニッケル合金、亜鉛−鉄合金等を使用し、鋳物またはダイキャスト等の鋳造方法、或いは射出成型等を用い、図１(ａ)に示す球形のおもり本体１、または図２(ａ)に示す分銅形のおもり本体２を形成することができる。
【００１７】
なお、上記の亜鉛−錫合金は、二次加工性の高い特徴をもった合金で、塩分に対する耐食性に優れ、塗装密着性、延展性などの後加工性にも優れている。また、亜鉛−ニッケル合金は、高耐食性を有し、加熱処理後および二次加工後の耐食性にも優れている。また、亜鉛−鉄合金めっきは、高耐食性を有し、安価であるという利点を有する。
【００１８】
また、本実施例においては、釣用おもりの形状として、図１（ａ）、（ｂ）に示す球形のおもり本体１、または図２(ａ)、（ｂ）に示す分銅形のおもり本体２を具体例として示してあるが、これらの形状は本考案の釣用おもりを特定するものではなく、他の形状に形成してもよい。
【００１９】
上記のように、本実施例の釣用おもりは、おもり本体が亜鉛を含む金属または亜鉛合金で形成され、亜鉛の融点は４１９．５８℃であり、鉄（融点１５３６℃）等に比較して低融点であるため、加工が容易であり、様々な形状の釣用おもりを容易に形成することが可能となる。
【００２０】
また、本考案の釣用おもりによれば、おもり本体に亜鉛を含む金属または亜鉛合金を使用しているため、人体に悪影響を及ぼすことがなく、環境にも好適する釣用おもりとして使用することが可能となる。
【００２１】
また、本考案のおもり本体に使用した亜鉛を含む金属または亜鉛合金は、錆び難いため、耐食性の点でも良好な釣用おもりとして使用することが可能となる。
【００２２】
さらに、本実施例においては、図１（ａ）、（ｂ）または図２（ａ）、(ｂ)に示すように、釣用おもりに道糸を接続するための係止環３として例えば逆Ｕ字形の金属製等の線材の両端に抜け止め用折曲部４ａ、４ｂを形成し、抜け止め用折曲部４ａ、４ｂをおもり本体１または２に埋め込んで固着するようにしてもよい。
【００２３】
このように、係止環３を構成する線材の両端に形成した抜け止め用折曲部４ａ、４ｂをおもり本体１または２に埋め込んだ場合、この抜け止め用折曲部４ａ、４ｂの抵抗力によって、係止環３を引抜く力に対して効果的な抜け止め防止手段として作用させることができる。
【００２４】
また、上記の係止環３として銅と亜鉛の合金である真鍮製線材を用いることにより、係止環３の亜鉛成分とおもり本体１または２の亜鉛成分とが接触することとなり、異種金属の接触による錆びが発生し難く、係止環３の耐用年数が増すという利点があり、上記の抜け止め防止効果と相俟って、安全性の高い係止環３を備えた釣用おもりとして使用することが可能となる。
【産業上の利用可能性】
【００２５】
本考案の釣用おもりは、人体に悪影響を及ぼすことがなく、耐食性にも優れ、また低融点であって加工性にも優れる釣用おもりとして利用することが可能である。
【図面の簡単な説明】
【００２６】
【図１】(ａ)は本考案の一実施例である球形の釣用おもりの正面図、(ｂ)は縦断面図である。
【図２】(ａ)は本考案の他の実施例である分銅形の釣用おもりの正面図、(ｂ)は縦断面図である。
【符号の説明】
【００２７】
１  球形のおもり本体
２  分銅形のおもり本体
３  係止環
４ａ、４ｂ  抜け止め用折曲部
【図１】
0003139655.tif 000003
【図２】
0003139655.tif 000004
【手続補正書】
【提出日】平成19年12月12日(2007.12.12)
【手続補正１】
【補正対象書類名】実用新案登録請求の範囲
【補正対象項目名】請求項１
【補正方法】変更
【補正の内容】
【請求項１】
球形又は分銅形に形成された釣用おもりのおもり本体が亜鉛を含む金属または亜鉛合金を用いて形成されてなることを特徴とする釣用おもり。
【手続補正２】
【補正対象書類名】明細書
【補正対象項目名】０００８
【補正方法】変更
【補正の内容】
【０００８】
上記の問題を解決するために、本考案における請求項１は、球形又は分銅形に形成された釣用おもりのおもり本体が亜鉛を含む金属または亜鉛合金を用いて形成されてなることを特徴とする。